(57)【特許請求の範囲】
【請求項１】
筐体と、
前記筐体に設けられて、投影領域に画像を投影する画像投影部と、
前記筐体に設けられて、音を検出する音検出部と、
前記投影領域に予め配置された第一画像に対応する特定投影画像の情報を取得し、取得した前記特定投影画像の情報を前記音検出部で検出された音に連動させて前記画像投影部から投影させる処理部と、を含み、
前記特定投影画像は、前記投影領域の第一画像に関連する画像であり、
前記画像投影部が画像を投影する投影領域の画像が絵本であり、
前記処理部は、前記音検出部で検出された音声に連動させてキャラクターを動かす画像を前記画像投影部から投影させることを特徴とする携帯電子機器。
【請求項２】
筐体と、
前記筐体に設けられて、投影領域に画像を投影する画像投影部と、
前記筐体に設けられて、音を検出する音検出部と、
前記投影領域に予め配置された第一画像に対応する特定投影画像の情報を取得し、取得した前記特定投影画像の情報を前記音検出部で検出された音に連動させて前記画像投影部から投影させる処理部と、を含み、
前記特定投影画像は、前記投影領域の第一画像に関連する画像であり、
前記画像投影部が画像を投影する投影領域の画像が地図であり、
前記処理部は、前記音検出部で検出された音声に対応する目的地を示す画像を前記画像投影部から投影させ、
前記処理部は、前記目的地が前記地図内にない場合には、前記目的地がある方向を示唆する画像を前記画像投影部から投影させることを特徴とする携帯電子機器。
【請求項３】
筐体と、
前記筐体に設けられて、投影領域に画像を投影する画像投影部と、
前記筐体に設けられて、音を検出する音検出部と、
前記投影領域に予め配置された第一画像に対応する特定投影画像の情報を取得し、取得した前記特定投影画像の情報を前記音検出部で検出された音に連動させて前記画像投影部から投影させる処理部と、を含み、
前記特定投影画像は、前記投影領域の第一画像に関連する画像であり、
前記画像投影部が画像を投影する投影領域の画像が楽譜であり、
前記処理部は、前記音検出部で検出された音に対応する音符を強調する画像を前記画像投影部から投影させることを特徴とする携帯電子機器。
【請求項４】
筐体と、
前記筐体に設けられて、投影領域に画像を投影する画像投影部と、
前記筐体に設けられて、音を検出する音検出部と、
前記投影領域に予め配置された第一画像に対応する特定投影画像の情報を取得し、取得した前記特定投影画像の情報を前記音検出部で検出された音に連動させて前記画像投影部から投影させる処理部と、を含み、
前記特定投影画像は、前記投影領域の第一画像に関連する画像であり、
前記画像投影部が画像を投影する投影領域の画像が五線譜であり、
前記処理部は、前記音検出部で検出された音に対応する音符の画像を前記画像投影部から投影させることを特徴とする携帯電子機器。
【請求項５】
前記処理部は、前記音検出部で検出された音に基づいて特定投影画像の情報を取得し、取得した前記特定投影画像の情報を前記音検出部で検出された音に連動させて前記画像投影部から投影させることを特徴とする請求項１から４のいずれか１項に記載の携帯電子機器。
【請求項６】
前記処理部は、前記音検出部で検出された音に基づいて、前記投影領域の第一画像が切り替わったことを検出したら、投影する特定投影画像を切り替えることを特徴とする請求項１から５のいずれか１項に記載の携帯電子機器。
【請求項７】
前記筐体は、支持台と連結される連結機構を有することを特徴とする請求項１から４のいずれか１項に記載の携帯電子機器。
【請求項８】
前記画像投影部が画像を投影する方向の画像を撮影する撮影部を、さらに有し、
前記処理部は、前記撮影部で撮影した情報に基づいて、前記投影領域の第一画像を判定し、判定した結果に基づいて前記特定投影画像の情報を取得し、投影することを特徴とする請求項１から４のいずれか１項に記載の携帯電子機器。
【請求項９】
前記処理部は、前記撮影部で撮影した画像に基づいて、前記投影領域の第一画像が切り替わったことを検出したら、投影する特定投影画像を切り替えることを特徴とする請求項８に記載の携帯電子機器。
【請求項１０】
前記処理部は、前記撮影部で撮影した画像に基づいて、投影する特定投影画像の大きさを調整し、前記特定投影画像を、前記投影領域の所定の位置に投影することを特徴とする請求項８または９に記載の携帯電子機器。
【請求項１１】
前記処理部は、前記撮影部で撮影した画像から識別情報を取得し、取得した識別情報に基づいて、前記投影領域の第一画像を判定し、前記投影領域の第一画像に対応する特定投影画像を特定することを特徴とする請求項８から１０のいずれか１項に記載の携帯電子機器。
【請求項１２】
請求項７に記載の携帯電子機器と、
前記連結機構と連結し、前記携帯電子機器を特定の姿勢に固定する支持台と、
前記支持台に固定されるとともに前記投影領域に配置された専用スクリーンと、
前記専用スクリーンに保持されるとともに前記第一画像が配置される印刷物と、を有し、
前記携帯電子機器は、前記第一画像に関連する画像を前記特定投影画像として投影することを特徴とする画像投影ユニット。
【請求項１３】
前記専用スクリーンは、前記印刷物の設置位置を示す案内が表面に形成されていることを特徴とする請求項１２に記載の画像投影ユニット。
【発明の詳細な説明】
【技術分野】
【０００１】
本発明は、スクリーンや壁面に画像を投影する画像投影部を有する携帯電子機器及び画像投影ユニットに関する。
【背景技術】
【０００２】
従来、壁面やスクリーンに画像を投影する装置としては、いわゆるプロジェクタがある。このプロジェクタは、商用電源から電力が供給され、所定位置に固定した状態で使用される、いわゆる据え置き型の装置が主流である。この据え置き型のプロジェクタは、固定した状態で、一定箇所の壁面やスクリーンに画像を投影させる。
【０００３】
これに対して、近年、プロジェクタとして、小型で持ち運びが容易な携帯型のプロジェクタが提案されている。例えば、特許文献１には、上キャビネットと、下キャビネットと、上キャビネット及び下キャビネットを互いに回動可能に接続するヒンジ部とを備え、レンズと光源とを有するプロジェクタが搭載されたプロジェクタ機能付携帯端末が記載されている。
【０００４】
また、画像を投影する機能を備える表示制御システムとして、特許文献２、３のように、表示手段に表示する内容を音声認識結果に基づいて制御する表示制御システムが記載されている。なお、特許文献２には、表示データの表示内容に関連した補足内容のうち表示手段に表示する内容を音声認識結果に基づいて変更することが記載されている。また、特許文献３には、音声認識結果のうち強調効果に関するものを強調音声情報として検出し、検出した強調音声情報に基づいて表示画面のなかで強調効果を与えることが記載されている。
【先行技術文献】
【特許文献】
【０００５】
【特許文献１】特開２００７−９６５４２号公報
【特許文献２】特開２００２−３５８０６２号公報
【特許文献３】特開２００２−３５８０６３号公報
【発明の概要】
【発明が解決しようとする課題】
【０００６】
特許文献２、３に記載されているように、音声認識結果に基づいて表示内容を変更するだけでは、画像投影部を十分に活用できてはいない。
【０００７】
また、携帯電子装置が備える画像投影部は、固定型の画像投影部に比べると、当該画像の解像度が低くなるため、文字等の高い解像度で表示すると読みにくいことがある。
【０００８】
本発明は、投影面に簡単により有効性の高い画像を表示させることができる携帯電子機器及び画像投影ユニットを提供することを目的とする。
【課題を解決するための手段】
【０００９】
上述した課題を解決し、目的を達成するために、本発明に係る携帯電子機器は、筐体と、前記筐体に設けられて、投影領域に画像を投影する画像投影部と、前記筐体に設けられて、音を検出する音検出部と、前記投影領域に予め配置された第一画像に対応する特定投影画像の情報を取得し、取得した前記特定投影画像の情報を前記音検出部で検出された音に連動させて前記画像投影部から投影させる処理部と、を含み、前記特定投影画像は、前記投影領域の第一画像に関連する画像であり、前記画像投影部が画像を投影する投影領域の画像が絵本であり、前記処理部は、前記音検出部で検出された音声に連動させてキャラクターを動かす画像を前記画像投影部から投影させることを特徴とする。
また、本発明に係る携帯電子機器は、筐体と、前記筐体に設けられて、投影領域に画像を投影する画像投影部と、前記筐体に設けられて、音を検出する音検出部と、前記投影領域に予め配置された第一画像に対応する特定投影画像の情報を取得し、取得した前記特定投影画像の情報を前記音検出部で検出された音に連動させて前記画像投影部から投影させる処理部と、を含み、前記特定投影画像は、前記投影領域の第一画像に関連する画像であり、前記画像投影部が画像を投影する投影領域の画像が地図であり、前記処理部は、前記音検出部で検出された音声に対応する目的地を示す画像を前記画像投影部から投影させ、前記処理部は、前記目的地が前記地図内にない場合には、前記目的地がある方向を示唆する画像を前記画像投影部から投影させることを特徴とする。
また、本発明に係る携帯電子機器は、筐体と、前記筐体に設けられて、投影領域に画像を投影する画像投影部と、前記筐体に設けられて、音を検出する音検出部と、前記投影領域に予め配置された第一画像に対応する特定投影画像の情報を取得し、取得した前記特定投影画像の情報を前記音検出部で検出された音に連動させて前記画像投影部から投影させる処理部と、を含み、前記特定投影画像は、前記投影領域の第一画像に関連する画像であり、前記画像投影部が画像を投影する投影領域の画像が楽譜であり、前記処理部は、前記音検出部で検出された音に対応する音符を強調する画像を前記画像投影部から投影させることを特徴とする。
また、本発明に係る携帯電子機器は、筐体と、前記筐体に設けられて、投影領域に画像を投影する画像投影部と、前記筐体に設けられて、音を検出する音検出部と、前記投影領域に予め配置された第一画像に対応する特定投影画像の情報を取得し、取得した前記特定投影画像の情報を前記音検出部で検出された音に連動させて前記画像投影部から投影させる処理部と、を含み、前記特定投影画像は、前記投影領域の第一画像に関連する画像であり、前記画像投影部が画像を投影する投影領域の画像が五線譜であり、前記処理部は、前記音検出部で検出された音に対応する音符の画像を前記画像投影部から投影させることを特徴とする。
【００１０】
また、前記処理部は、前記音検出部で検出された音に基づいて特定投影画像の情報を取得し、取得した前記特定投影画像の情報を前記音検出部で検出された音に連動させて前記画像投影部から投影させることを特徴とする。
【００１１】
また、前記処理部は、前記音検出部で検出された音に基づいて、前記投影領域の第一画像が切り替わったことを検出したら、投影する特定投影画像を切り替えることを特徴とする。
【００１２】
また、前記筐体は、支持台と連結される連結機構を有することが好ましい。
【００１３】
また、前記画像投影部が画像を投影する方向の画像を撮影する撮影部を、さらに有し、前記処理部は、前記撮影部で撮影した情報に基づいて、前記投影領域の第一画像を判定し、判定した結果に基づいて前記特定投影画像の情報を取得し、投影することが好ましい。
【００１４】
また、前記処理部は、前記撮影部で撮影した画像に基づいて、前記投影領域の第一画像が切り替わったことを検出したら、投影する特定投影画像を切り替えることが好ましい。
【００１５】
また、前記処理部は、前記撮影部で撮影した画像に基づいて、投影する特定投影画像の大きさを調整し、前記特定投影画像を、前記投影領域の所定の位置に投影することが好ましい。
【００１６】
また、前記処理部は、前記撮影部で撮影した画像から識別情報を取得し、取得した識別情報に基づいて、投影領域の第一画像を判定し、前記投影領域の第一画像に対応する特定投影画像を特定することが好ましい。
【００２３】
上述した課題を解決し、目的を達成するために、本発明に係る画像投影ユニットは、上記に記載の携帯電子機器と、前記連結機構と連結し、前記携帯電子機器を特定の姿勢に固定する支持台と、前記支持台に固定されるとともに、前記投影領域に配置された専用スクリーンと、前記専用スクリーンに保持されるとともに前記第一画像が配置される印刷物と、を有し、前記携帯電子機器は、前記第一画像に関連する画像を前記特定投影画像として投影することを特徴とする。
【００２４】
また、前記専用スクリーンは、前記印刷物の設置位置を示す案内が表面に形成されていることが好ましい。
【発明の効果】
【００２５】
本発明の携帯電子機器及び画像投影ユニットは、投影面に簡単により有効性の高い画像を表示させることができるという効果を奏する。
【図面の簡単な説明】
【００２６】
【図１】図１は、実施形態に係る携帯電子機器の一実施形態の概略構成を示す正面図である。
【図２】図２は、図１に示す携帯電子機器の側面図である。
【図３】図３は、図１、図２に示す携帯電子機器の機能の概略構成を示すブロック図である。
【図４】図４は、図１に示す携帯電子機器のプロジェクタで画像を表示させている状態を示す説明図である。
【図５】図５は、携帯電子機器の動作の一例を説明するためのフロー図である。
【図６−１】図６−１は、携帯電子機器の動作の一例を説明するための説明図である。
【図６−２】図６−２は、携帯電子機器の動作の一例を説明するための説明図である。
【図７】図７は、携帯電子機器の動作を説明するための説明図である。
【図８】図８は、携帯電子機器の動作の一例を説明するためのフロー図である。
【図９】図９は、携帯電子機器の動作の一例を説明するためのフロー図である。
【図１０−１】図１０−１は、携帯電子機器の動作の一例を説明するための説明図である。
【図１０−２】図１０−２は、携帯電子機器の動作の一例を説明するための説明図である。
【図１１】図１１は、携帯電子機器の動作の一例を説明するためのフロー図である。
【図１２−１】図１２−１は、携帯電子機器の動作の一例を説明するための説明図である。
【図１２−２】図１２−２は、携帯電子機器の動作の一例を説明するための説明図である。
【図１２−３】図１２−３は、携帯電子機器の動作の一例を説明するための説明図である。
【図１２−４】図１２−４は、携帯電子機器の動作の一例を説明するための説明図である。
【図１３】図１３は、携帯電子機器の動作の一例を説明するためのフロー図である。
【図１４−１】図１４−１は、携帯電子機器の動作の一例を説明するための説明図である。
【図１４−２】図１４−２は、携帯電子機器の動作の一例を説明するための説明図である。
【図１４−３】図１４−３は、携帯電子機器の動作の一例を説明するための説明図である。
【図１４−４】図１４−４は、携帯電子機器の動作の一例を説明するための説明図である。
【図１５−１】図１５−１は、画像投影ユニットの概略構成を説明するための斜視図である。
【図１５−２】図１５−２は、画像投影ユニットの携帯電子機器の概略構成を説明するための説明図である。
【図１６−１】図１６−１は、専用スクリーン及び支持台の概略構成を説明するための斜視図である。
【図１６−２】図１６−２は、専用スクリーン及び支持台の概略構成を説明するための上面図である。
【発明を実施するための形態】
【００２７】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器の一例として携帯電話機を取り上げるが、本発明の適用対象は携帯電話機に限定されるものではなく、例えば、ＰＨＳ（Personal  Handy-phone  System）、ＰＤＡ、ポータブルナビゲーション装置、ノートパソコン、ゲーム機等に対しても本発明は適用できる。
【００２８】
図１は、実施形態に係る携帯電子機器の一実施形態の概略構成を示す正面図であり、図２は、図１に示す携帯電子機器の側面図である。図１、図２に示す携帯電子機器１は、無線通信機能と、出力手段と、音声取得手段と、撮像手段とを有する携帯電話機である。携帯電子機器１は、筐体１Ｃが複数の筐体で構成される。具体的には、筐体１Ｃは、第１筐体１ＣＡと第２筐体１ＣＢとで開閉可能に構成される。すなわち、携帯電子機器１は、折り畳み式の筐体を有する。なお、携帯電子機器１の筐体は、このような構造に限定されるものではない。例えば、携帯電子機器１の筐体は、両方の筐体を重ね合わせた状態から一方の筐体と他方の筐体とを互いにスライドできるようにしたスライド式の筐体であってもよいし、重ね合わせ方向に沿う軸線を中心に、一方の筐体を回転させるようにした回転式や、２軸ヒンジを介して両方の筐体を連結したものでもよい。
【００２９】
第１筐体１ＣＡと第２筐体１ＣＢとは、連結部であるヒンジ機構８で連結されている。ヒンジ機構８で第１筐体１ＣＡと第２筐体１ＣＢとを連結することにより、第１筐体１ＣＡ及び第２筐体１ＣＢは、ヒンジ機構８を中心としてともに回動して、互いに遠ざかる方向及び互いに接近する方向（図２の矢印Ｒで示す方向）に回動できるように構成される。第１筐体１ＣＡと第２筐体１ＣＢとが互いに遠ざかる方向に回動すると携帯電子機器１が開き、第１筐体１ＣＡと第２筐体１ＣＢとが互いに接近する方向に回動すると携帯電子機器１が閉じて、折り畳まれた状態となる（図２の点線で示す状態）。
【００３０】
第１筐体１ＣＡには、表示部として、図１に示すディスプレイ２が設けられる。ディスプレイ２は、携帯電子機器１が受信を待機している状態のときに待ち受け画像を表示したり、携帯電子機器１の操作を補助するために用いられるメニュー画像を表示したりする。また、第１筐体１ＣＡには、携帯電子機器１の通話時に音声を出力する出力手段であるレシーバ１６が設けられる。
【００３１】
第２筐体１ＣＢには、通話相手の電話番号や、メール作成時等に文字を入力するための操作キー１３Ａが複数設けられ、また、ディスプレイ２に表示されるメニューの選択及び決定や画面のスクロール等を容易に実行するための方向及び決定キー１３Ｂが設けられる。操作キー１３Ａ及び方向及び決定キー１３Ｂは、携帯電子機器１の操作部１３を構成する。また、第２筐体１ＣＢには、携帯電子機器１の通話時に音声を受け取る音声取得手段であるマイク１５が設けられる。操作部１３は、図２に示す、第２筐体１ＣＢの操作面１ＰＣに設けられる。操作面１ＰＣとは反対側の面が、携帯電子機器１の背面１ＰＢである。
【００３２】
第２筐体１ＣＢの内部には、アンテナが設けられている。アンテナは、無線通信に用いる送受信アンテナであり、携帯電子機器１と基地局との間で通話や電子メール等に係る電波（電磁波）の送受信に用いられる。また、第２筐体１ＣＢには、マイク１５が設けられる。マイク１５は、図２に示す、携帯電子機器１の操作面１ＰＣ側に配置される。
【００３３】
第１筐体１ＣＡのヒンジ機構８とは反対側には、画像投影部であるプロジェクタ３４、及び、画像が投影される面の画像を撮影（取得）するカメラ４０が設けられる。なお、プロジェクタ３４の光出射部、カメラ４０の撮影窓は、第１筐体１ＣＡの外部に露出している。このような構成により、プロジェクタ３４によって画像を投影対象物に投影することができる。また、カメラ４０により画像を投影する画像との距離を取得することで、プロジェクタ３４が投影する画像の焦点を自動的に合わせたりすることができる。なお、カメラ４０により画像を投影する領域の画像を取得することで、投影する画像の大きさ、焦点距離を調整することもできる。
【００３４】
図３は、図１、図２に示す携帯電子機器の機能の概略構成を示すブロック図である。図３に示すように、携帯電子機器１は、処理部２２と、記憶部２４と、外部記憶部２５と、送受信部２６と、操作部１３と、音声処理部３０と、表示部３２と、プロジェクタ３４と、カメラ４０と、を有する。処理部２２は、携帯電子機器１の全体的な動作を統括的に制御する機能を有する。すなわち、処理部２２は、携帯電子機器１の各種の処理が、操作部１３の操作や携帯電子機器１の記憶部２４に記憶されるソフトウェアに応じて適切な手順で実行されるように、送受信部２６や、音声処理部３０や、表示部３２等の動作を制御する。
【００３５】
携帯電子機器１の各種の処理としては、例えば、回線交換網を介して行われる音声通話、電子メールの作成及び送受信、インターネットのＷｅｂ（World Wide Web）サイトの閲覧等がある。また、送受信部２６、音声処理部３０、表示部３２等の動作としては、例えば、送受信部２６による信号の送受信、音声処理部３０による音声の入出力、表示部３２による画像の表示等がある。
【００３６】
処理部２２は、記憶部２４に記憶されているプログラム（例えば、オペレーティングシステムプログラム、アプリケーションプログラム等）に基づいて処理を実行する。処理部２２は、例えば、マイクロプロセッサユニット（ＭＰＵ：Micro Processing Unit）で構成され、前記ソフトウェアで指示された手順にしたがって上述した携帯電子機器１の各種の処理を実行する。すなわち、処理部２２は、記憶部２４に記憶されるオペレーティングシステムプログラムやアプリケーションプログラム等から命令コードを順次読み込んで処理を実行する。
【００３７】
処理部２２は、複数のアプリケーションプログラムを実行する機能を有する。処理部２２が実行するアプリケーションプログラムとしては、例えば、プロジェクタ３４やカメラ４０の駆動を制御するアプリケーションプログラムや、各種の画像ファイル（画像情報）を記憶部２４から読み出してデコードするアプリケーションプログラム、及びデコードして得られる画像を表示部３２に表示させたりプロジェクタ３４に投影させたりするアプリケーションプログラム等の複数のアプリケーションプログラムがある。
【００３８】
本実施形態において、処理部２２は、プロジェクタ３４の動作を制御するプロジェクタ制御部２２ａ、プロジェクタ３４に表示させる画像を生成する画像処理部２２ｂ、カメラ４０で取得した画像や、操作部１３からの入力に基づいて投影領域の条件を判定する条件判定部２２ｃ、投影面に対する筐体１Ｃの姿勢、位置を演算して算出する姿勢・位置演算部２２ｄ、複数の画像データからプロジェクタ３４に投影させる画像を決定する投影画像決定部２２ｅ、カメラ４０の動作を制御するカメラ制御部２２ｆ、音声認識処理を行う音声解析部２２ｇを有する。プロジェクタ制御部２２ａ、画像処理部２２ｂ、条件判定部２２ｃ、姿勢・位置演算部２２ｄ、投影画像決定部２２ｅ、カメラ制御部２２ｆ、音声解析部２２ｇがそれぞれ有する機能は、処理部２２及び記憶部２４で構成されるハードウェア資源が、処理部２２の制御部が割り当てるタスクを実行することにより実現される。ここで、タスクとは、アプリケーションソフトウェアが行っている処理全体、又は同じアプリケーションソフトウェアが行っている処理のうち、同時に実行できない処理単位である。
【００３９】
記憶部２４には、処理部２２での処理に利用されるソフトウェアやデータが記憶されており、上述した、プロジェクタ３４やカメラ４０の駆動を制御するアプリケーションプログラムを作動させるタスクや、画像処理用プログラムを作動させるタスクが記憶されている。また、記憶部２４には、これらのタスク以外にも、例えば、通信、ダウンロードされた音声データ、あるいは記憶部２４に対する制御に処理部２２が用いるソフトウェア、通信相手の電話番号やメールアドレス等が記述されて管理するアドレス帳、発信音や着信音等の音声ファイル、ソフトウェアの処理過程で用いられる一時的なデータ等が記憶されている。
【００４０】
なお、ソフトウェアの処理過程で用いられるコンピュータプログラムや一時的なデータは、処理部２２によって記憶部２４に割り当てられた作業領域へ一時的に記憶される。記憶部２４は、例えば、不揮発性の記憶デバイス（ＲＯＭ：Read  Only  Memory等の不揮発性半導体メモリ、ハードディスク装置等）や、読み書き可能な記憶デバイス（例えば、ＳＲＡＭ：Static  Random  Access  Memory、ＤＲＡＭ：Dynamic  Random  Access  Memory）等で構成される。
【００４１】
外部記憶部２５は、外部メモリと、接続端子で構成され、外部メモリが筺体１Ｃに対して着脱可能な記憶装置である。外部メモリには、記憶部２４と同様に各種ソフトウェアやデータが記憶されている。外部記憶部２５は、接続端子を介して外部メモリと処理部２２とを接続させることで、記憶部２４と同様に、外部メモリに対して、情報の書き込み、読み取りを行う。なお、外部記憶部２５は、外部メモリが着脱可能であるため、処理部２２に接続する外部メモリを交換することができる。なお、外部メモリとしては、ＳＤカード（登録商標）、メモリースティック（登録商標）、スマートメディア、ＵＳＢメモリ等の各種記憶媒体を用いることができる。
【００４２】
送受信部２６は、アンテナ２６ａを有し、基地局によって割り当てられるチャネルを介し、基地局との間でＣＤＭＡ（Code Division Multiple Access）方式などによる無線信号回線を確立し、基地局との間で電話通信及び情報通信を行う。操作部１３は、例えば、電源キー、通話キー、数字キー、文字キー、方向キー、決定キー、発信キー等、各種の機能が割り当てられた操作キー１３Ａと、方向及び決定キー１３Ｂとで構成される。そして、これらのキーがユーザの操作により入力されると、その操作内容に対応する信号を発生させる。発生した信号は、ユーザの指示として処理部２２へ入力される。
【００４３】
音声処理部３０は、マイク１５に入力される音声信号やレシーバ１６やスピーカ１７から出力される音声信号の処理を実行する。すなわち、音声処理部３０は、マイク１５から入力される音声を増幅し、ＡＤ変換（Analog Digital変換）を実行した後、さらに符号化等の信号処理を施して、ディジタルの音声データに変換して処理部２２へ出力する。また、処理部２２から送られる音声データに対して復号化、ＤＡ変換（Digital Analog変換）、増幅等の処理を施してアナログの音声信号に変換してから、レシーバ１６やスピーカ１７へ出力する。ここで、スピーカ１７は、携帯電子機器１の筐体１Ｃ内に配置されており、着信音やメールの送信音等を出力する。
【００４４】
表示部３２は、上述したディスプレイ２を有しており、処理部２２から供給される映像データに応じた映像や画像データに応じた画像を表示パネルに表示させる。ディスプレイ２は、例えば、液晶ディスプレイ（ＬＣＤ、Liquid Crystal Display）や、有機ＥＬ（Organic Electro−Luminescence）パネルなどで構成された表示パネルで構成される。なお、表示部３２は、ディスプレイ２に加え、サブディスプレイを有していてもよい。
【００４５】
プロジェクタ３４は、光源と、画像データに基づいて前記光源から射出された光を投影するか否かを切り換える光学系とで構成されている。本実施形態において、プロジェクタ３４は、光源である可視光照射装置（可視光照射手段）３１と、光学系である描画装置３５と、焦点調整装置３９とを含んで構成される。可視光照射装置３１は、可視光のレーザー光を照射する。可視光領域の光は、短波長側が３６０ｎｍ以上４００ｎｍ以下、長波長側が７６０ｎｍ以上８３０ｎｍ以下の光であり、本実施形態において、可視光照射装置３１は、Ｒ（Ｒｅｄ）、Ｇ（Ｇｒｅｅｎ）、Ｂ（Ｂｌｕｅ）の３色の光を照射する。
【００４６】
描画装置３５は、可視光照射装置３１から照射される３色の光を合成するとともに、画像投影対象に照射する。描画装置３５は、光源から射出された光を透過させるか否かを切り換える切り換え素子、及び当該切り換え素子を通過した光をラスター走査させるミラーを含んで構成される。そして、描画装置３５は、ミラーによって可視光照射装置３１から射出されたレーザー光の角度を変えて、画像投影対象にレーザー光を走査させることで、画像投影対象に画像を投影させる。
【００４７】
前記ミラーとしては、例えば、ＭＥＭＳ（Micro Electro Mechanical System）ミラーが用いられる。ＭＥＭＳミラーは、圧電素子を利用してミラーを駆動して、可視光照射装置３１から照射される可視光を走査し、可視画像や不可視画像を生成する。この場合は、ミラーによって光源から照射された光の角度を変えて、画像投影対象の全面に光源から照射された光を走査させることで、画像投影対象に可視画像や不可視画像を投影させることができる。このように、プロジェクタ３４は、スキャン方式のプロジェクタである。なお、プロジェクタ３４の構成は、上述したレーザーを光源とするものに限定されるものではない。例えば、プロジェクタ３４は、ハロゲンライトや、ＬＥＤ光源、ＬＤ光源を光源とし、ＬＣＤ（Liquid Crystal Display）や、ＤＭＤ（Digital Micro-mirror Device）を光学系に備える構成のプロジェクタを用いてもよい。
【００４８】
焦点調整装置３９は、プロジェクタ制御部２２ａからの指令により、描画装置３５から投影される可視画像を画像投影対象上で結像させる機能（焦点調整機能）を有する。焦点調整装置３９は、例えば、可動するレンズ等で構成される焦点調整機構を備えており、レンズを動かすことで前記焦点調整機能を実現する。また、焦点調整装置３９は、プロジェクタ３４が投影する画像のデータに対して画像処理部２２ｂによって所定の画像処理を施すことにより、前記焦点調整機能を実現するものであってもよい。さらに、焦点調整装置３９は、焦点調整機能及び画像処理によって前記焦点調整機能を実現するものであってもよい。
【００４９】
図４は、図１に示す携帯電子機器のプロジェクタで画像を表示させている状態を示す説明図である。上述したように、プロジェクタ３４は、画像を投影する画像投影部であり、画像投影面が携帯電子機器１の筐体１Ｃの外部に露出している。携帯電子機器１は、プロジェクタ３４から画像を投影することで、図４に示すように、プロジェクタ３４の画像投影面と対向する位置の画像投影対象（例えば、壁面やスクリーン等）のうち、所定の領域（投影領域）ＰＡに画像Ｐを投影させることができる。なお、プロジェクタ３４は、処理部２２により動作が制御され、処理部２２から送られる種々の映像、例えば動画やプレゼンテーション資料等を投影し、投影領域ＰＡに表示させる。
【００５０】
カメラ４０は、上述したようにプロジェクタ３４の光射出部の近くに設けられ、投影領域を含む領域の画像を取得する撮像機構である。つまり、カメラ４０は、プロジェクタ３４が光を射出する方向の画像を取得する。なお、カメラ４０は、プロジェクタ３４により投射される画像の投射画角よりも広い画角で画像を撮影する撮影機構であり、プロジェクタ３４により画像が投影される投影領域よりも広い領域の画像を撮影することができる。携帯電子機器１は、基本的に以上のような構成である。
【００５１】
次に、図５を用いて携帯電子機器のプロジェクタの画像投影動作を説明する。ここで、図５は、携帯電子機器の動作の一例を示すフロー図である。なお、図５に示す動作は、プロジェクタ３４が起動されたら常に行うようにしてもよいし、図５に示す動作を行うモードの実行指示が入力されたら実行するようにしてもよい。なお、図５に示す動作は、記憶部２４に記憶されたアプリケーションを実行することで処理しても、外部記憶部２５に記憶されたアプリケーションを実行して処理してもよい。つまり、図５に示す動作を実行させるプログラムは、いずれの領域に記憶されていてもよい。またプログラムは、外部からダウンロードして取得することができ、外部記憶部２５から読み取ることで取得することもできる。なお、図５に示すフロー図では、携帯電子機器１のプロジェクタ３４の画像の投影領域に特定の印刷物が配置されている。
【００５２】
まず、携帯電子機器１の処理部２２は、プロジェクタ３４の起動指示が入力されたら、ステップＳ１２として、カメラ４０及びプロジェクタ３４を起動させる。なお、起動指示の入力時に、カメラ４０とプロジェクタ３４が起動されている場合は、そのまま、ステップＳ１４に進む。また、プロジェクタ３４の起動処理は、プロジェクタ制御部２２ａで行うことができ、カメラ４０の起動処理は、カメラ制御部２２ｆで行うことができる。
【００５３】
処理部２２は、ステップＳ１２でカメラ４０及びプロジェクタ３４を起動させたら、ステップＳ１４として、カメラ制御部２２ｆによりカメラ４０の動作を制御し、投影領域の画像（投影面に表示されている画像）を取得する。処理部２２は、ステップＳ１４で投影領域の画像を取得したら、ステップＳ１６として、条件判定部２２ｃにより投影領域の条件を判定する。具体的には、処理部２２は、画像処理部２２ｂにより、撮影した投影領域の画像を解析し、投影領域に表示されている画像の構成を検出する。その後、処理部２２は、画像処理部２２ｂでの処理により検出した投影領域の表示画像の構成に基づいて、投影領域の条件を判定する。
【００５４】
処理部２２は、ステップＳ１６で投影領域の条件を判定したら、ステップＳ１８として、投影画像決定部２２ｅにより投影する画像を決定する。具体的には、処理部２２は、投影画像決定部２２ｅにより、ステップＳ１６で判定した投影領域の条件（識別情報）に基づいて、投影領域に載置されている印刷物を特定する。そして、処理部２２は、特定した印刷物に対応する画像データ及び特定した印刷物の内容に関連する音声データ（ここでは、印刷物のスクリプトの少なくとも一部を読み上げた音声データ）を抽出し、投影する画像として決定する。なお、印刷物の内容に関連する音声データは、印刷物のページを一意に特定できるものであれば良く、例えば、印刷物のスクリプトの冒頭部分を読み上げた音声データであっても良い。なお、画像データ及び音声データは、記憶部２４または外部記憶部２５に記憶されており、特定した印刷物に対応する画像データ及び特定した印刷物の内容に関連する音声データには、印刷物の情報が関連付けて記憶されている。したがって、投影画像決定部２２ｅは、印刷物の情報をキーとして、記憶部２４または外部記憶部２５に記憶されている画像データを検索することで、対応する画像データ及び音声データを抽出することができる。
【００５５】
処理部２２は、ステップＳ１８で投影する画像を決定したら、ステップＳ２０として、音声解析部２２ｇにより、マイク１５で印刷物の内容に関連する音声を検出したかを判定する。なお、印刷物の内容に関連する音声の検出は、音声解析部２２ｇによりマイク１５で検出した音声に音声認識処理を実行し、印刷物の内容に関連する音声データと一致するか否かで実現することができる。処理部２２は、ステップＳ２０で印刷物の内容に関連する音声を検出していなければ（ステップＳ２０でＮｏ）、処理をステップＳ２０で待機し、ステップＳ２０で音声を検出したら（ステップＳ２０でＹｅｓ）、処理をステップＳ２２に進める。
【００５６】
処理部２２は、ステップＳ２０で印刷物の内容に関連する音声を検出したら（ステップＳ２０でＹｅｓ）、ステップＳ２２として、プロジェクタ制御部２２ａによりプロジェクタ３４の動作を制御し、プロジェクタ３４から、ステップＳ１８で決定した画像を投影する。つまり、処理部２２は、音声に連動させて、ステップＳ１８で決定した画像を投影する。
【００５７】
処理部２２は、ステップＳ２２で画像を投影したら、ステップＳ２４として投影領域の画像の切り替えがあったか、つまり、投影領域に配置されている印刷物が切り替わったかを判定する。なおこの判定は、例えば、カメラ４０により画像を取得し、その画像と前の画像とを比較することで行うことができる。処理部２２は、ステップＳ２４で画像の切り替えあり（ステップＳ２４でＹｅｓ）、つまり、ステップＳ１４で取得した際に投影領域に配置されていた画像（印刷物）とは異なる画像（印刷物）が投影領域にあると判定したら、ステップＳ１４に進み、上記ステップＳ１４からステップＳ２２の処理を行い、投影領域にある画像に合わせて、プロジェクタ３４から投影する画像を切り替える。
【００５８】
また、処理部２２は、ステップＳ２４で画像の切り替えなし（ステップＳ２４でＮｏ）と判定したら、ステップＳ２６として投影終了の指示があるかを判定する。処理部２２は、ステップＳ２６で終了指示なし（ステップＳ２６でＮｏ）と判定したら、ステップＳ２４に進み、ステップＳ２４の処理を行う。また、処理部２２は、ステップＳ２６で投影終了（ステップＳ２６でＹｅｓ）と判定したら、ステップＳ２８として、カメラ４０及びプロジェクタ３４を停止させて、本処理を終了する。なお、カメラ４０及びプロジェクタ３４は、それぞれカメラ制御部２２ｆ及びプロジェクタ制御部２２ａの制御により停止させることができる。
【００５９】
次に、具体例を用いて、携帯電子機器１についてより詳細に説明する。ここで、図６−１及び図６−２は、それぞれ、携帯電子機器の動作の一例を説明するための説明図である。なお、図６−１、図６−２では、携帯電子機器１を簡単な箱形状として示す。まず、図６−１に示す例は、投影領域に印刷物１００が配置されている。ここで、印刷物１００は、絵本の一場面の画像が印刷されている。具体的には、印刷物１００には、背景となる家、木、雲の画像、及び、内容の文章（「ある日、おじいさんとおばあさんは山へ芝刈りに行きました。」）が印刷されている。
【００６０】
携帯電子機器１は、図５に示す処理により、投影領域に印刷物１００があること、つまり絵本等の一場面、所定のページであることを検出したら、印刷物１００に対応する画像データを取得する。次に、携帯電子機器１は、ユーザが当該ページの内容の文章を「ある日」と読み上げたら、図５に示す処理により、ユーザの音声に連動させて、図６−２に示すように、プロジェクタ３４から投影領域に人物１０２の画像を投影する。これにより、印刷物１００上には、印刷された各構成に加え、人物１０２の画像が表示された状態とすることができる。なお、本実施形態では、人物の画像を投影したが、物や、風景を投影するようにしてもよい。また、携帯電子機器１は、ユーザが当該ページの内容の文章を「山へ」と読み上げたら、図５に示す処理により、ユーザの音声に連動させて、人物１０２の画像の投影位置を山の方に移動させる。これにより、携帯電子機器１は、ユーザの音声に連動させて投影画像を移動させる、つまり動画を投影することができる。
【００６１】
このように、携帯電子機器１は、投影領域の画像に対応する画像をプロジェクタ３４から投影することで、つまり、投影領域の画像にプロジェクタ３４から投影した画像を重ねて１つの画像を作成することで、簡単で有効性の高い画像を作成することができる。
【００６２】
ここで、印刷物のみで画像を構成する場合、印刷した後は更新することができず、画像を動かすことができない。また、プロジェクタのみで画像を投影する場合は、鮮明な画像を表示することが困難である。また、細かい文字まで読みやすい画像を投影するためには、高価で高い性能のプロジェクタを搭載させる必要があり、装置が大型化し、構成も複雑になり、装置コストも高くなる。これに対して、携帯電子機器１は、投影領域にある印刷物の画像に合わせて、必要な画像を投影しているため、印刷物とプロジェクタの両方の利点を併せ持つことができる。例えば、印刷物で高解像度な画像を表示させることができ、プロジェクタにより一部の画像を動かす、つまり動画とすることができる。また、携帯電子機器１のプロジェクタ３４により投影する画像も投影領域の一部となるため、画像処理の負荷を低減することができ、消費電力を少なくすることができる。
【００６３】
また、上述したように、細かい文字、画像は、印刷物に予め印刷することができるため、プロジェクタの性能を高くしなくても、投影領域に表示される画像を鮮明で高解像度の画像とすることができる。
【００６４】
また、携帯電子機器１の音声解析部２２ｇは、決まった音声データ（例えば、印刷物のスクリプトの少なくとも一部を読み上げた音声データ）とマイク１５で検出した音声データとを比較すれば良いので、音声認識処理を容易にすることができる。
【００６５】
また、携帯電子機器１は、印刷物と画像投影装置とを組み合わせた、つまり、印刷物に画像を投影することで、１つの画像として完成するコンテンツを表示させることができる。また、印刷物と画像データとを１つの商品、パッケージとして流通させることができる。例えば、印刷物と、画像データを記憶した外部メモリとをパッケージとして流通させることで、利用者は、携帯電子機器１の外部記憶部２５に外部メモリを連結させて、画像データを取得し、投影領域に印刷物を配置することで、撮影領域にある印刷物上に外部メモリに記憶されている画像を投影することができる。
【００６６】
また、印刷物、画像データの一方のみでは、画像として完成しないため、画像データ、印刷物の一方を管理することで画像が許可なく複製されたり、売買されたりすることを抑制することができる。例えば、１つの印刷物に対する画像データの取得回数や、取得可能端末数を制限しておいたり、画像データの取得時に、画像データの提供者に通知が送信される設定としたりすることで、画像データの利用を制限することができる。これにより、完成された画像は、特定の利用者のみが閲覧可能とすることができる。
【００６７】
ここで、携帯電子機器１がカメラで取得した画像から、表示領域に配置された画像（例えば、印刷物）を特定する方法としては、種々の画像処理方法を用いることができる。例えば、携帯電子機器１は、印刷物、描画された絵、記入された文字等の投影領域の画像から、特定の文字、記号等の識別情報を抽出することで、投影領域の画像を特定することができる。また、携帯電子機器１は、四辺のエッジ検出等を行うことで、投影領域内の画像を特定することができる。以下、図７を用いて、一例を説明する。ここで、図７は、携帯電子機器の動作を説明するための説明図である。なお、図７では、携帯電子機器１を簡単な箱形状として示す。図７に示す例では、投影領域に印刷物１２０が配置されている。印刷物１２０は、新聞の一紙面であり、新聞の名称が記載された文字列１２２、見出し、各ニュースの内容の文章が印刷されている。また、印刷物１２０には、２次元バーコード１２４が印刷されている。
【００６８】
携帯電子機器１は、カメラ４０で取得した画像から、文字列１２２を抽出することで、投影領域にある印刷物が新聞であることを特定することができる。なお、携帯電子機器１は、投影領域の全体における、文字列１２２の位置の情報等も加味することで、つまりレイアウト情報を加味することで、印刷物をより適切に特定することができる。また、この場合、携帯電子機器１は、さらに画像から、発行日、ページ数の情報を取得することで、印刷物を特定することができる。また、携帯電子機器１は、カメラ４０で取得した画像から、２次元バーコード１２４を抽出することでも、印刷物を特定することができる。２次元バーコード１２４を用いる場合は、２次元バーコードに印刷物が新聞であること、発行日、ページ数の情報を含めることができる。これにより、携帯電子機器１は、２次元バーコード１２４を読み取るのみで、印刷物を特定することができる。
【００６９】
携帯電子機器１は、以上のようにして、投影領域の画像を特定し、特定した画像に対応する画像を取得し、投影領域に投影することで、投影領域に、予め配置されている画像に投影画像を重ねた画像を表示させることができる。
【００７０】
なお、携帯電子機器１は、投影させる画像を記憶部２４または外部記憶部２５に記憶されている画像データの中から特定したが、本発明はこれに限定されない。携帯電子機器１は、投影させる画像を、送受信部２６を介した通信で、外部のサーバ等から取得してもよい。例えば、投影領域にある画像として印刷物を特定したら、その印刷物を発行している出版社のデータベースにアクセスし、投影する画像のデータを取得してもよい。また、２次元バーコードを用いる場合は、２次元バーコードの情報にＵＲＬを含めるようにしてもよい。また、印刷物の一部に、投影する画像のデータが保存されているＵＲＬを印刷しておいてもよい。
【００７１】
また、携帯電子機器１は、投影領域の画像に対応して投影する画像を加工してもよい。また、投影領域の画像に対応付けられた画像として、携帯電子機器１で加工をした画像や、作成した画像を用いてもよい。また、投影領域の画像に対応付けて予め設定されている画像を変更できるようにしてもよい。なお、対応つける画像を変更する場合は、変更した画像に、投影領域の画像の識別情報の紐付けデータを加えた形で、記憶部２４または外部記憶部２５に記憶させればよい。
【００７２】
また、携帯電子機器１は、カメラ４０で取得した画像データから投影領域（投影面）までの距離、及び投影領域の画像との位置関係を算出し、プロジェクタ３４から投影する画像の投影領域内における位置、大きさを調整するようにしてもよい。また、携帯電子機器１は、プロジェクタ３４で画像を投影した状態の投影領域の画像を取得し、その取得結果に基づいて、プロジェクタ３４から投影する画像の投影領域内における位置、大きさを調整するようにしてもよい。このように、投影する画像の投影領域内における位置、大きさを調整することで、より適正な画像を投影領域内に表示させることができる。
【００７３】
また、携帯電子機器１は、カメラ４０で取得した画像と、投影する画像とを組み合わせた画像、つまり投影領域に表示される画像（投影された状態の予測画像）を表示部３２に表示させるようにしてもよい。これにより、投影領域に投影される画像を表示部３２で確認することができる。なお、携帯電子機器１は、投影許可操作が入力されてから、プロジェクタ３４から画像を投影するようにしてもよい。
【００７４】
また、上記実施形態では、利用者の操作がより簡単になり、負荷を低減できるため、カメラにより、投影領域の画像を取得し、投影領域の画像を特定して、自動で投影する画像を決定したが、本発明はこれに限定されない。例えば、利用者が操作部１３に操作を入力して、投影領域の画像に対応する画像を投影する画像として選択し、選択した画像の投影指示を入力することで、投影領域の画像に、プロジェクタ３４から投影した画像を重ねて、表示領域に１つの画像を表示させるようにしてもよい。この場合も投影領域の画像に対応付けられた画像として作成された画像のデータを取得することで、完成された１つの画像を表示させることが可能となる。また、利用者が音声をマイク１５に入力して、投影領域の画像に対応する画像を投影する画像として選択し、選択した画像の投影指示を音声で入力することで、投影領域の画像に、プロジェクタ３４から投影した画像を重ねて、表示領域に１つの画像を表示させるようにしてもよい。これにより、ユーザは音声で投影画像の選択および投影を指示することができる。
【００７５】
上記のようにカメラを用いない場合の携帯電子機器のプロジェクタの画像投影動作について説明する。図８は、携帯電子機器の動作の一例を示すフロー図である。なお、図８に示す動作は、プロジェクタ３４が起動されたら常に行うようにしてもよいし、図８に示す動作を行うモードの実行指示が入力されたら実行するようにしてもよい。なお、図８に示す動作は、記憶部２４に記憶されたアプリケーションを実行することで処理しても、外部記憶部２５に記憶されたアプリケーションを実行して処理してもよい。つまり、図８に示す動作を実行させるプログラムは、いずれの領域に記憶されていてもよい。またプログラムは、外部からダウンロードして取得することができ、外部記憶部２５から読み取ることで取得することもできる。なお、図８に示すフロー図では、携帯電子機器１のプロジェクタ３４の画像の投影領域に特定の印刷物が配置されている。
【００７６】
まず、携帯電子機器１の処理部２２は、ステップＳ４２として、特定した印刷物に対応するコンテンツデータを記憶部２４または外部記憶部２５から読出す。なお、特定した印刷物に対応するコンテンツデータは、ユーザにより選択されるようにしても良い。また、コンテンツデータは、印刷物のページ毎に投影させる画像データに、ページ毎に関連する音声データ（ここでは、印刷物のスクリプトの少なくとも一部を読み上げた音声データ）が関連付けて記憶されている。したがって、投影画像決定部２２ｅは、音声データをキーとして、記憶部２４または外部記憶部２５に記憶されているコンテンツデータを検索することで、対応する画像データを抽出することができる。なお、印刷物の内容に関連する音声データは、印刷物のページを一意に特定できるものであれば良く、例えば、印刷物のスクリプトの冒頭部分を読み上げた音声データであっても良い。
【００７７】
処理部２２は、ステップＳ４２でコンテンツデータを読出したら、ステップＳ４４として、プロジェクタ３４を起動させる。なお、起動指示の入力時に、プロジェクタ３４が起動されている場合は、そのまま、ステップＳ４６に進む。また、プロジェクタ３４の起動処理は、プロジェクタ制御部２２ａで行うことができる。
【００７８】
処理部２２は、ステップＳ４４でプロジェクタ３４を起動させたら、ステップＳ４６として、音声解析部２２ｇにより、マイク１５で音声を検出したかを判定する。処理部２２は、ステップＳ４６で音声を検出していなければ（ステップＳ４６でＮｏ）、処理をステップＳ４６で待機し、ステップＳ４６で音声を検出したら（ステップＳ４６でＹｅｓ）、処理をステップＳ４８に進める。
【００７９】
処理部２２は、ステップＳ４６で音声を検出したら、ステップＳ４８として、投影画像決定部２２ｅにより投影する画像を決定する。具体的には、処理部２２は、投影画像決定部２２ｅにより、ステップＳ４６で検出した音声を音声処理部３０により音声認識した音声データに基づいて、投影領域に載置されている印刷物のページを特定し、特定したページに対応する画像データを抽出し、投影する画像として決定する。
【００８０】
処理部２２は、ステップＳ４８で投影する画像を決定したら、ステップＳ５０として、プロジェクタ制御部２２ａによりプロジェクタ３４の動作を制御し、プロジェクタ３４から、ステップＳ４８で決定した画像を投影する。つまり、処理部２２は、音声に連動させて、ステップＳ４８で決定した画像を投影する。
【００８１】
処理部２２は、ステップＳ４８で画像を投影したら、ステップＳ５２として投影終了の指示があるかを判定する。処理部２２は、ステップＳ５２で終了指示なし（ステップＳ５２でＮｏ）と判定したら、ステップＳ４６に進み、ステップＳ４６の処理を行う。また、処理部２２は、ステップＳ５２で投影終了（ステップＳ５２でＹｅｓ）と判定したら、ステップＳ５４として、プロジェクタ３４を停止させて、本処理を終了する。なお、プロジェクタ３４は、それぞれカメラ制御部２２ｆ及びプロジェクタ制御部２２ａの制御により停止させることができる。
【００８２】
次に、先に説明した図６−１及び図６−２を再び用いて、携帯電子機器１についてより詳細に説明する。まず、図６−１に示す例は、投影領域に印刷物１００が配置されている。ここで、印刷物１００は、絵本の一場面の画像が印刷されている。具体的には、印刷物１００には、背景となる家、木、雲の画像、及び、内容の文章（「ある日、おじいさんとおばあさんは山へ芝刈りに行きました。」）が印刷されている。
【００８３】
まず、携帯電子機器１は、図８に示す処理により、特定のコンテンツデータを記憶部２４または外部記憶部２５から読出す。次に、携帯電子機器１は、ユーザがページの内容の文章を「ある日」と読み上げたら、図８に示す処理により、投影領域に印刷物１００があること、つまり絵本等の一場面、所定のページであることを検出し、印刷物１００に対応する画像データを決定する。そして、携帯電子機器１は、ユーザの音声に連動させて、図６−２に示すように、プロジェクタ３４から投影領域に人物１０２の画像を投影する。これにより、印刷物１００上には、印刷された各構成に加え、人物１０２の画像が表示された状態とすることができる。なお、本実施形態では、人物の画像を投影したが、物や、風景を投影するようにしてもよい。
【００８４】
このように、携帯電子機器１は、ユーザの音声を検出し、ユーザの音声に基づいて投影する画像を決定し、決定した画像を投影することができる。
【００８５】
なお、処理部２２は、ユーザの音声に連動して投影する画像の明るさを変更するようにしても良い。例えば、処理部２２は、ユーザが「夜になりました。」と発声したら、投影する画像を暗くするようにしても良い。
【００８６】
また、処理部２２は、携帯電子機器１の所有者の声を音声処理部３０で判別し、携帯電子機器１の所有者の声に対してのみ画像を投影するようにしても良い。これにより、セキュリティ機能を実現することができる。
【００８７】
また、処理部２２は、ユーザがページの内容の文章を読み上げる速度に応じて、投影する動画の速度を変えるようにしても良い。これにより、絵本等のキャラクターを動かす速度をユーザが制御することができる。
【００８８】
また、処理部２２は、ページの内容の文章の中のキーワードを判別して、画像を投影するようにしても良い。ユーザがページの内容の文章を一字一句間違わずに読むのは難しいので、ページの内容の文章の中のキーワードを予め設定しておき、処理部２２は、発声されたキーワードの流れに応じて画像を投影する。これにより、ユーザがページの内容の文章を間違って読んでしまっても、動画を投影することができる。
【００８９】
また、処理部２２は、ユーザが発声する声を単語単位で区切って判別し、ユーザが発声した単語（いつ、誰が、どうした等）に応じて異なるパターンの動画を投影するようにしても良い。これにより、ユーザがキャラクターを動作させてＲＰＧ（ロールプレイングゲーム）のようにストーリーを自由に作成することができる。
【００９０】
次に、本発明の他の実施形態について説明する。本実施形態は、紙、看板等に印刷された地図上にユーザ所望の地点を投影するものである。図９は、携帯電子機器の動作の一例を示すフロー図である。なお、図９に示す動作は、プロジェクタ３４が起動されたら常に行うようにしてもよいし、図９に示す動作を行うモードの実行指示が入力されたら実行するようにしてもよい。なお、図９に示す動作は、記憶部２４に記憶されたアプリケーションを実行することで処理しても、外部記憶部２５に記憶されたアプリケーションを実行して処理してもよい。つまり、図９に示す動作を実行させるプログラムは、いずれの領域に記憶されていてもよい。またプログラムは、外部からダウンロードして取得することができ、外部記憶部２５から読み取ることで取得することもできる。なお、図９に示すフロー図では、携帯電子機器１のプロジェクタ３４の画像の投影領域に地図が印刷された紙、看板等の印刷物が配置されている。
【００９１】
まず、携帯電子機器１の処理部２２は、プロジェクタ３４の起動指示が入力されたら、ステップＳ６２として、カメラ４０及びプロジェクタ３４を起動させる。なお、起動指示の入力時に、カメラ４０とプロジェクタ３４が起動されている場合は、そのまま、ステップＳ６４に進む。また、プロジェクタ３４の起動処理は、プロジェクタ制御部２２ａで行うことができ、カメラ４０の起動処理は、カメラ制御部２２ｆで行うことができる。
【００９２】
処理部２２は、ステップＳ６２でカメラ４０及びプロジェクタ３４を起動させたら、ステップＳ６４として、カメラ制御部２２ｆによりカメラ４０の動作を制御し、投影領域の画像（投影面に表示されている画像）を取得する。処理部２２は、ステップＳ６４で投影領域の画像を取得したら、ステップＳ６６として、条件判定部２２ｃにより投影領域の条件を判定する。具体的には、処理部２２は、画像処理部２２ｂにより、撮影した投影領域の画像を解析し、投影領域に表示されている画像の構成を検出する。その後、処理部２２は、画像処理部２２ｂでの処理により検出した投影領域の表示画像の構成に基づいて、投影領域の条件を判定する。すなわち、処理部２２は、投影領域に配置されている地図がどの地域の地図であるかを判定する。
【００９３】
処理部２２は、ステップＳ６６で投影領域の条件を判定したら、ステップＳ６８として、投影領域に対応する地域の地点データを記憶部２４または外部記憶部２５から読出す。ここで、地点データは、記憶部２４または外部記憶部２５に記憶されており、名称（地名、店名等）の音声データに、経度及び緯度の情報が関連付けて記憶されている。したがって、処理部２２は、名称の音声データをキーとして、記憶部２４または外部記憶部２５に記憶されている地点データを検索することで、対応する経度及び緯度の情報を抽出することができる。なお、投影領域と地図は一致しない場合もあり、投影領域の方が地図よりも広い場合もある。
【００９４】
処理部２２は、ステップＳ６８で地点データを読出したら、ステップＳ７０として、音声解析部２２ｇにより、マイク１５で目的地の音声を検出したかを判定する。処理部２２は、ステップＳ７０で目的地の音声を検出していなければ（ステップＳ７０でＮｏ）、処理をステップＳ７０で待機し、ステップＳ７０で目的地の音声を検出したら（ステップＳ７０でＹｅｓ）、処理をステップＳ７２に進める。
【００９５】
処理部２２は、ステップＳ７０で目的地の音声を検出したら（ステップＳ７０でＹｅｓ）、ステップＳ７２として、音声解析部２２ｇで音声認識処理された音声データに基づいて、目的地が地図内にあるか否かを判定する。処理部２２は、ステップＳ７２で目的地が地図内にあると判定したら（ステップＳ７２でＹｅｓ）、ステップＳ７４として、投影する画像を決定する。具体的には、処理部２２は、ユーザの音声を音声解析部２２ｇで音声認識した名称と合致する名称を含む地点データを抽出し、抽出した地点データの経度及び緯度に対応する地図上の位置を表す画像を決定する。
【００９６】
処理部２２は、ステップＳ７２で目的地が地図内にないと判定したら（ステップＳ７２でＮｏ）、ステップＳ７６として、目的地が地図外且つ投影領域に対応する地域内にあるか否かを判定する。処理部２２は、ステップＳ７６で目的地が地図外且つ投影領域に対応する地域内にあると判定したら（ステップＳ７６でＹｅｓ）、ステップＳ７８として、投影する画像を決定する。具体的には、処理部２２は、ユーザの音声を音声処理部３０で音声認識した名称と合致する名称を含む地点データを抽出し、抽出した地点データの経度及び緯度に対応する場所を表す画像を決定する。なお、処理部２２は、ここで決定する画像を、目的地が地図内にある場合の画像（ステップＳ７４）と異ならせると好適である。
【００９７】
処理部２２は、ステップＳ７６で目的地が投影領域に対応する地域内にないと判定したら（ステップＳ７６でＮｏ）、ステップＳ８０として、投影領域に対応する地域に最寄りの目的地の地点データを抽出する。次に、処理部２２は、ステップＳ８１として、投影する画像を決定する。具体的には、処理部２２は、目的地がある方向を示唆する画像を投影する画像として決定する。
【００９８】
処理部２２は、ステップＳ７４、ステップＳ７８またはステップＳ８１で投影する画像を決定したら、ステップＳ８２として、プロジェクタ制御部２２ａによりプロジェクタ３４の動作を制御し、プロジェクタ３４から、ステップＳ７４、ステップＳ７８またはステップＳ８１で決定した画像を投影する。
【００９９】
処理部２２は、ステップＳ８２で画像を投影したら、ステップＳ８４として、投影終了の指示があるかを判定する。処理部２２は、ステップＳ８４で終了指示なし（ステップＳ８４でＮｏ）と判定したら、ステップＳ７０に進み、ステップＳ７０の処理を行う。また、処理部２２は、ステップＳ８４で投影終了（ステップＳ８４でＹｅｓ）と判定したら、ステップＳ８６として、カメラ４０及びプロジェクタ３４を停止させて、本処理を終了する。なお、カメラ４０及びプロジェクタ３４は、それぞれカメラ制御部２２ｆ及びプロジェクタ制御部２２ａの制御により停止させることができる。
【０１００】
次に、具体例を用いて、携帯電子機器１についてより詳細に説明する。ここで、図１０−１及び図１０−２は、それぞれ、携帯電子機器の動作の一例を説明するための説明図である。なお、図１０−１、図１０−２では、携帯電子機器１を簡単な箱形状として示す。まず、図１０−１に示す例は、投影領域に印刷物１３０が配置されている。ここで、印刷物１３０は、地図が印刷されている。
【０１０１】
携帯電子機器１は、図９に示す処理により、投影領域に印刷物１３０があること、つまり或る地域の地図があることを検出したら、印刷物１３０に対応する地点データを取得する。次に、携帯電子機器１は、ユーザが所望の目的地の名称を例えば「郵便局」と発声したら、図９に示す処理により、郵便局を名称に含む地点データを抽出する。そして、携帯電子機器１は、図１０−１に示すように、印刷物１３０に印刷された地図上に、郵便局を示すマーク１３１〜１３５の画像を投影する。これにより、印刷物１３０上には、印刷された地図に加え、ユーザが所望の目的地を示す画像が表示された状態とすることができる。
【０１０２】
このように、携帯電子機器１は、投影領域の画像に対応する画像をプロジェクタ３４から投影することで、つまり、投影領域の画像にプロジェクタ３４から投影した画像を重ねて１つの画像を作成することで、簡単で有効性の高い画像を作成することができる。
【０１０３】
次に、図１０−２に示す例では、投影領域ＰＡの内部に投影領域ＰＡよりも小さい印刷物１４０が配置されている。印刷物１４０は、地図が印刷されている。携帯電子機器１は、投影領域に印刷物１４０があること、つまり或る地域の地図があることを検出したら、投影領域ＰＡに対応する地点データを取得する。次に、携帯電子機器１は、ユーザが所望の目的地の名称を例えば「ゴルフ練習場」と発声したら、図９に示す処理により、ゴルフ練習場を名称に含む地点データを抽出する。そして、携帯電子機器１は、印刷物１４０の地域内に目的地がない場合には、印刷物１４０の地域外且つ投影領域ＰＡに対応する地域の内に目的地があるか否かを判定し、印刷物１４０の地域外且つ投影領域ＰＡに対応する地域の内に目的地がある場合には、印刷物１４０の外且つ投影領域ＰＡの内に目的地を示すマーク１４１、１４２の画像を投影する。また、携帯電子機器１は、投影領域ＰＡに対応する地域内に目的地がない場合には、図９に示す処理により、投影領域ＰＡに対応する地域に最寄りの目的地を抽出し、投影領域ＰＡの内に目的地が存在する方向を示す矢印１４３の画像を投影する。これにより、矢印の方向に対応する地図を投影領域ＰＡに配置すれば良いことをユーザに知らせることができる。
【０１０４】
次に、本発明の他の実施形態について説明する。本実施形態は、楽譜上の音符に光を照射するものである。図１１は、携帯電子機器の動作の一例を示すフロー図である。なお、図１１に示す動作は、プロジェクタ３４が起動されたら常に行うようにしてもよいし、図１１に示す動作を行うモードの実行指示が入力されたら実行するようにしてもよい。なお、図１１に示す動作は、記憶部２４に記憶されたアプリケーションを実行することで処理しても、外部記憶部２５に記憶されたアプリケーションを実行して処理してもよい。つまり、図１１に示す動作を実行させるプログラムは、いずれの領域に記憶されていてもよい。またプログラムは、外部からダウンロードして取得することができ、外部記憶部２５から読み取ることで取得することもできる。なお、図１１に示すフロー図では、携帯電子機器１のプロジェクタ３４の画像の投影領域に楽譜の印刷物が配置されている。
【０１０５】
まず、携帯電子機器１の処理部２２は、プロジェクタ３４の起動指示が入力されたら、ステップＳ９２として、カメラ４０及びプロジェクタ３４を起動させる。なお、起動指示の入力時に、カメラ４０とプロジェクタ３４が起動されている場合は、そのまま、ステップＳ９４に進む。また、プロジェクタ３４の起動処理は、プロジェクタ制御部２２ａで行うことができ、カメラ４０の起動処理は、カメラ制御部２２ｆで行うことができる。
【０１０６】
処理部２２は、ステップＳ９２でカメラ４０及びプロジェクタ３４を起動させたら、ステップＳ９４として、カメラ制御部２２ｆによりカメラ４０の動作を制御し、投影領域の画像（投影面に表示されている画像）を取得する。処理部２２は、ステップＳ９４で投影領域の画像を取得したら、ステップＳ９６として、条件判定部２２ｃにより投影領域の条件を判定する。具体的には、処理部２２は、画像処理部２２ｂにより、撮影した投影領域の画像を解析し、投影領域に表示されている画像の構成（五線譜及び音符）を検出する。その後、処理部２２は、画像処理部２２ｂでの処理により検出した投影領域の表示画像の構成に基づいて、投影領域の条件を判定する。
【０１０７】
処理部２２は、ステップＳ９６で投影領域の条件を判定したら、ステップＳ９８として、音声解析部２２ｇにより、マイク１５で音声を検出したかを判定する。処理部２２は、ステップＳ９８で音声を検出していなければ（ステップＳ９８でＮｏ）、処理をステップＳ９８で待機し、ステップＳ９８で音声を検出したら（ステップＳ９８でＹｅｓ）、処理をステップＳ１００に進める。
【０１０８】
処理部２２は、ステップＳ９８で音声を検出したら（ステップＳ９８でＹｅｓ）、ステップＳ１００として、音声解析部２２ｇで音声認識処理された音声データに基づいて、検出した音声（音程）に対応する音符を、光を照射する音符として決定する。処理部２２は、ステップＳ１００で光を照射する音符を決定したら、ステップＳ１０２として、光を音符に照射する。
【０１０９】
処理部２２は、ステップＳ１０２で光を音符に照射したら、ステップＳ１０４として、投影終了の指示があるかを判定する。処理部２２は、ステップＳ１０４で終了指示なし（ステップＳ１０４でＮｏ）と判定したら、ステップＳ９８に進み、ステップＳ９８の処理を行う。また、処理部２２は、ステップＳ１０４で投影終了（ステップＳ１０４でＹｅｓ）と判定したら、ステップＳ１０６として、カメラ４０及びプロジェクタ３４を停止させて、本処理を終了する。なお、カメラ４０及びプロジェクタ３４は、それぞれカメラ制御部２２ｆ及びプロジェクタ制御部２２ａの制御により停止させることができる。
【０１１０】
次に、具体例を用いて、携帯電子機器１についてより詳細に説明する。ここで、図１２−１〜図１２−４は、それぞれ、携帯電子機器の動作の一例を説明するための説明図である。なお、図１２−１〜図１２−４では、携帯電子機器１を簡単な箱形状として示す。図１２−１〜図１２−４に示す例は、投影領域に印刷物１５０が配置されている。ここで、印刷物１５０は、楽譜が印刷されている。具体的には、印刷物１５０には、五線譜と音符１５１〜１５６が印刷されている。
【０１１１】
携帯電子機器１は、図１１に示す処理により、投影領域に印刷物１５０があること、つまり楽譜があることを検出したら、音符１５１〜１５６を検出する。次に、携帯電子機器１は、図１１に示す処理により、音声を検出する。携帯電子機器１は、音声を検出したら、図１１に示す処理により、音声に対応する音符に光を照射する。例えば、携帯電子機器１は、音符１５１に対応する音声を検出したら、図１２−１に示すように、音符１５１に光を照射する。同様に、携帯電子機器１は、音符１５２に対応する音声を検出したら、図１２−２に示すように、音符１５２に光を照射し、音符１５３に対応する音声を検出したら、図１２−３に示すように、音符１５３に光を照射し、音符１５４に対応する音声を検出したら、図１２−４に示すように、音符１５４に光を照射する。
【０１１２】
このように、携帯電子機器１は、検出した音声に対応する音符に光を照射することで、楽譜上の演奏箇所をユーザに通知することができる。
【０１１３】
なお、上記では、携帯電子機器１がマイク１５で音声を検出することとしたが、携帯電子機器１の記憶部２４または外部記憶部２５に楽曲データを記憶しておき、携帯電子機器１が楽曲データに基づいて音楽を出力するとともに、対応する音符に光を照射するようにしてもよい。これにより、携帯電子機器１は、ユーザが楽曲を覚えるための学習教材としての機能を実現することができる。
【０１１４】
次に、本発明の他の実施形態について説明する。本実施形態は、音符の画像を五線譜に照射するものである。図１３は、携帯電子機器の動作の一例を示すフロー図である。なお、図１３に示す動作は、プロジェクタ３４が起動されたら常に行うようにしてもよいし、図１３に示す動作を行うモードの実行指示が入力されたら実行するようにしてもよい。なお、図１３に示す動作は、記憶部２４に記憶されたアプリケーションを実行することで処理しても、外部記憶部２５に記憶されたアプリケーションを実行して処理してもよい。つまり、図１３に示す動作を実行させるプログラムは、いずれの領域に記憶されていてもよい。またプログラムは、外部からダウンロードして取得することができ、外部記憶部２５から読み取ることで取得することもできる。なお、図１３に示すフロー図では、携帯電子機器１のプロジェクタ３４の画像の投影領域に五線譜が記載された物が配置されている。なお、五線譜は手書きされていても良いし、印刷されていても良い。
【０１１５】
まず、携帯電子機器１の処理部２２は、プロジェクタ３４の起動指示が入力されたら、ステップＳ１１２として、カメラ４０及びプロジェクタ３４を起動させる。なお、起動指示の入力時に、カメラ４０とプロジェクタ３４が起動されている場合は、そのまま、ステップＳ１１４に進む。また、プロジェクタ３４の起動処理は、プロジェクタ制御部２２ａで行うことができ、カメラ４０の起動処理は、カメラ制御部２２ｆで行うことができる。
【０１１６】
処理部２２は、ステップＳ１１２でカメラ４０及びプロジェクタ３４を起動させたら、ステップＳ１１４として、カメラ制御部２２ｆによりカメラ４０の動作を制御し、投影領域の画像（投影面に表示されている画像）を取得する。処理部２２は、ステップＳ１１４で投影領域の画像を取得したら、ステップＳ１１６として、条件判定部２２ｃにより投影領域の条件を判定する。具体的には、処理部２２は、画像処理部２２ｂにより、撮影した投影領域の画像を解析し、投影領域に表示されている画像の構成（五線譜）を検出する。その後、処理部２２は、画像処理部２２ｂでの処理により検出した投影領域の表示画像の構成に基づいて、投影領域の条件を判定する。
【０１１７】
処理部２２は、ステップＳ１１６で投影領域の条件を判定したら、ステップＳ１１８として、音声解析部２２ｇにより、マイク１５で音声を検出したかを判定する。処理部２２は、ステップＳ１１８で音声を検出していなければ（ステップＳ１１８でＮｏ）、処理をステップＳ１１８で待機し、ステップＳ１１８で音声を検出したら（ステップＳ１１８でＹｅｓ）、処理をステップＳ１２０に進める。
【０１１８】
処理部２２は、ステップＳ１１８で音声を検出したら（ステップＳ１１８でＹｅｓ）、ステップＳ１２０として、音声処理部３０で音声認識処理された音声データに基づいて、検出した音声（音程）に対応する音符を五線譜上にハイライト投影する。なお、処理部２２は、２つ目以降の音符の場合には、以前の音符を通常（非ハイライト）投影するとともに、直前の音符の右隣に今回の音符をハイライト投影する。また、処理部２２は、五線譜の行末まで音符が投影されている場合には、次の行の先頭に今回の音符をハイライト投影する。処理部２２は、ステップＳ１２０で音符をハイライト投影したら、ステップＳ１２２として、音符を記憶部２４または外部記憶部２５に記憶する。
【０１１９】
処理部２２は、ステップＳ１２２で音符を記憶したら、ステップＳ１２４として、投影終了の指示があるかを判定する。処理部２２は、ステップＳ１２４で終了指示なし（ステップＳ１２４でＮｏ）と判定したら、ステップＳ１１８に進み、ステップＳ１１８の処理を行う。また、処理部２２は、ステップＳ１２４で投影終了（ステップＳ１２４でＹｅｓ）と判定したら、ステップＳ１２６として、カメラ４０及びプロジェクタ３４を停止させて、本処理を終了する。なお、カメラ４０及びプロジェクタ３４は、それぞれカメラ制御部２２ｆ及びプロジェクタ制御部２２ａの制御により停止させることができる。
【０１２０】
次に、具体例を用いて、携帯電子機器１についてより詳細に説明する。ここで、図１４−１〜図１４−４は、それぞれ、携帯電子機器の動作の一例を説明するための説明図である。なお、図１４−１〜図１４−４では、携帯電子機器１を簡単な箱形状で示す。図１４−１〜図１４−４に示す例は、投影領域に印刷物１６０が配置されている。ここで、印刷物１６０は、五線譜が書かれている。なお、五線譜は印刷されていても良い。また、五線譜は２行以上であっても良い。
【０１２１】
携帯電子機器１は、図１３に示す処理により、投影領域に印刷物１６０があること、つまり楽譜があることを検出する。次に、携帯電子機器１は、図１３に示す処理により、音声を検出する。携帯電子機器１は、音声を検出したら、図１３に示す処理により、図１４−１に示すように、音声に対応する音符１６１をハイライト投影する。次に、携帯電子機器１は、音声を検出したら、図１３に示す処理により、図１４−２に示すように、音符１６１を通常（非ハイライト）投影するとともに、今回検出した音声に対応する音符１６２を直前の音符１６１の右隣にハイライト投影する。次に、携帯電子機器１は、音声を検出したら、図１３に示す処理により、図１４−３に示すように、音符１６２を通常（非ハイライト）投影するとともに、今回検出した音声に対応する音符１６３を直前の音符１６２の右隣にハイライト投影する。次に、携帯電子機器１は、音声を検出したら、図１３に示す処理により、図１４−４に示すように、音符１６３を通常（非ハイライト）投影するとともに、今回検出した音声に対応する音符１６４を直前の音符１６３の右隣にハイライト投影する。
【０１２２】
このように、携帯電子機器１は、ＰＣ（パーソナルコンピュータ）上で動作する作曲ツールなどを使用することなく、任意の紙に五線譜を書くだけで作曲することを可能にすることができる。また、携帯電子機器１のディスプレイ２のサイズは小さいので楽器を演奏しながらディスプレイ２を見ることは困難であるが、携帯電子機器１によれば、ユーザが所望の場所に所望の大きさで五線譜を書くことで、楽器を演奏しながら音符を見ることが可能である。
【０１２３】
なお、作曲の最終的な内容は、ユーザが投影されている音符をなぞることで紙などに記録しても良いし、五線譜上に投影されている音符をカメラ４０で撮像して携帯電子機器１の記憶部２４または外部記憶部２５に記憶するようにしても良い。
【０１２４】
また、音楽学習用途として、携帯電子機器１の記憶部２４または外部記憶部２５に楽譜情報を用意しておき、ユーザが奏した音が楽譜の音符と合致していれば当該音符を投影し、ユーザが奏した音が楽譜の音符と合致していなければ正しい音階をハイライト表示してユーザに通知するようにしても良い。
【０１２５】
また、上記実施形態では、投影領域に対して、携帯電子機器１を移動自在な状態としたが、本発明はこれに限定されず、投影領域となる専用スクリーンを設け、専用スクリーンに対して、携帯電子機器１を特定の位置に固定するユニットとしてもよい。ここで、図１５−１は、画像投影ユニットの概略構成を説明するための斜視図であり、図１５−２は、画像投影ユニットの携帯電子機器の概略構成を説明するための説明図である。図１６−１は、専用スクリーン及び支持台の概略構成を説明するための斜視図であり、図１６−２は、専用スクリーン及び支持台の概略構成を説明するための上面図である。なお、図１６−１及び図１６−２は、共に専用スクリーンに印刷物を載置した状態を示す。図１５−１に示す画像投影ユニット２００は、携帯電子機器２０１と、支持台２０２と、専用スクリーン２０４とを有する。
【０１２６】
携帯電子機器２０１は、図１５−２に示すように、直方体形状の筐体２０１Ｃを有する。また、筺体２０１Ｃの一面には、支持台２０２と連結するための連結機構２２０が設けられている、また、筺体２０１Ｃの長手方向の端面には、プロジェクタ２３４の光射出部が設けられている。なお、携帯電子機器２０１は、これらの点を除いて、他の構成は、基本的に携帯電子機器１と同様であるので、説明は省略する。
【０１２７】
図１６−１及び図１６−２に示すように、支持台２０２は、携帯電子機器２０１を所定位置に固定する支持機構であり、筺体２０１Ｃの連結機構２２０と連結する連結機構２２２が設けられている。例えば、連結機構２２０がねじ穴である場合、支持台２０２の連結機構２２２は、ねじである。また、支持台２０２は、専用スクリーン２０４に固定されている。
【０１２８】
図１６−１及び図１６−２に示すように、専用スクリーン２０４は、板状部材であり、表面が携帯電子機器２０１の固定位置と対面している。専用スクリーン２０４は、図１５−１に示すように、表面に、支持台２０２に固定された携帯電子機器２０１のプロジェクタ２３４から出力された画像が投影される。つまり、プロジェクタ２３４の投影領域２０５が専用スクリーン２０４の表面の所定の領域となる。
【０１２９】
また、専用スクリーン２０４は、表面に印刷物２０６を設置する設置領域が設けられている。さらに、専用スクリーン２０４は、表面に案内表示２１０が形成されている。ここで、案内表示２１０は、専用スクリーン２０４の表面に載置する印刷物２０６の載置位置の基準を示している。案内表示２１０が表示されている位置が、一方向の中心となるように印刷物２０６を載置することで、投影領域２０５と印刷物２０６との関係が一定となる。
【０１３０】
画像投影ユニット２００は、以上の構成であり、携帯電子機器２０１を支持台２０２に固定し、かつ、印刷物２０６を専用スクリーン２０４の所定の位置に載置することで、投影領域２０５にある印刷物２０６にプロジェクタ２３４から印刷物２０６に対応する画像を投影することができる。
【０１３１】
ここで、画像投影ユニット２００は、投影領域２０５と、印刷物２０６の位置（撮影領域の画像の位置）との位置関係が一義に決まる。これにより、相対的な位置調整をすることなく、投影領域に適切な画像を表示させることができる。また、投影領域の画像と、投影する画像との位置ずれの発生も低減することができる。
【０１３２】
また、専用スクリーン２０４と支持台２０２とが一体であるため、携帯電子機器２０１のプロジェクタ２３４から投影される光が専用スクリーン２０４上以外の領域を照射する恐れを低減することができる。これにより、プロジェクタ２３４をより安全に利用することができる。
【０１３３】
また、画像投影ユニット２００の場合は、投影領域との調整が必要ないため、投影する画像を自身で選択する場合等は、携帯電子機器２０１にカメラを設けない構成とすることもできる。
【０１３４】
なお、上記実施形態では、投影領域の画像が絵本等の一場面の画像である場合、投影する画像が人物である例と、投影領域の画像が地図、投影する画像が目的地を表す画像である例と、投影領域の画像が楽譜または五線譜、投影する画像が音符である例として説明したが、投影領域の画像、つまり、印刷物等の投影領域に予め形成、配置されている画像と、投影する画像、つまりプロジェクタから投影する画像との組み合わせは、種々の組み合わせとすることができる。
【０１３５】
まず、投影領域の画像が漫画の画像である場合、投影する画像をユーザの音声に対応する人物、物等の絵としてもよい。これにより、漫画に登場させるキャラクター等をユーザが自由に選択することができる。また、いつ、誰が、どうした等をユーザが発声することにより、ユーザがキャラクターを動作させてストーリーを自由に作成することができる。また、投影する画像を台詞としてもよい。つまり、投影領域にある漫画の吹出しに、ユーザの音声に対応する台詞を投影するようにしてもよい。これにより、ユーザがストーリーを自由に作成することができる。また、入力された台詞を吹出しに対応付けて記憶することで、繰り返し表示させることができる。また、漫画に種々の台詞を当てはめることができる。
【０１３６】
また、投影領域の画像が楽譜本の画像である場合、投影する画像を練習歴（いつ練習したか、何回練習したか）としてもよい。これにより、練習状況をユーザに通知することができる。また、投影する画像をその日に演奏した時間、過去からのトータルでその楽曲を演奏した時間としてもよい。また、楽譜の或るページの最後の音符に対応する音を検出したら、次のページの楽譜を投影するようにしてもよい。これにより、演奏中に楽譜をめくる行為を不要にすることができる。
【産業上の利用可能性】
【０１３７】
以上のように、本発明に係る携帯電子機器及び画像投影ユニットは、プロジェクタのような、画像を投影できる装置を備えるものに有用である。
【符号の説明】
【０１３８】
１  携帯電子機器
１Ｃ  筐体
２  ディスプレイ
１３  操作部
１３Ａ  操作キー
１３Ｂ  方向及び決定キー
２２  処理部
２２ａ  プロジェクタ制御部
２２ｂ  画像処理部
２２ｃ  条件判定部
２２ｄ  姿勢・位置演算部
２２ｅ  投影画像決定部
２２ｆ  カメラ制御部
２２ｇ  音声解析部
２４  記憶部
２５  外部記憶部
３０  音声処理部
３１  可視光照射装置
３２  表示部
３４  プロジェクタ
３５  描画装置
３９  焦点調整装置
４０  カメラ
【図１】
0005583479.tif 000002
【図２】
0005583479.tif 000003
【図３】
0005583479.tif 000004
【図４】
0005583479.tif 000005
【図５】
0005583479.tif 000006
【図６−１】
0005583479.tif 000007
【図６−２】
0005583479.tif 000008
【図７】
0005583479.tif 000009
【図８】
0005583479.tif 000010
【図９】
0005583479.tif 000011
【図１０−１】
0005583479.tif 000012
【図１０−２】
0005583479.tif 000013
【図１１】
0005583479.tif 000014
【図１２−１】
0005583479.tif 000015
【図１２−２】
0005583479.tif 000016
【図１２−３】
0005583479.tif 000017
【図１２−４】
0005583479.tif 000018
【図１３】
0005583479.tif 000019
【図１４−１】
0005583479.tif 000020
【図１４−２】
0005583479.tif 000021
【図１４−３】
0005583479.tif 000022
【図１４−４】
0005583479.tif 000023
【図１５−１】
0005583479.tif 000024
【図１５−２】
0005583479.tif 000025
【図１６−１】
0005583479.tif 000026
【図１６−２】
0005583479.tif 000027